(57)【要約】【課題】水タンクを横にした状態で、効率的に水を注入できる加湿機用じょうごおよびその加湿機用じょうごを備える加湿機用タンクじょうごアッセンブリを提供すること。【解決手段】じょうご３に、一方向の一端に開口を有すると共に、上記一方向の他端に底８１を有する容器部２１と、容器部２１の上記一方向の中間部に上記一方向と交差する方向に延在して連なると共に、水タンクの注入口に回転可能に接続される接続筒部２２とを形成する。接続筒部２２の容器部２１内への口の底８１側の縁８０と、底８０との間に上記一方向に一定の距離が存在するようにする。【選択図】図６
2012026659.tif 000002
【特許請求の範囲】
【請求項１】
加湿機の水タンク（２）に水を補充するために用いる加湿機用じょうご（３）であって、
一方向の一端に開口（２４）を有すると共に、上記一方向の他端に底（８１）を有する容器部（２１）と、
上記容器部（２１）の上記一方向の中間部に上記一方向と交差する方向に延在して連なると共に、水タンク（２）の注入口（１１）に回転可能に接続される接続筒部（２２）と
を備え、
上記接続筒部（２２）の上記容器部（２１）内への口の上記底（８１）側の縁（８０）と、上記底（８１）との間に上記一方向に一定の距離があることを特徴とする加湿機用じょうご（３）。
【請求項２】
請求項１に記載の加湿機用じょうご（３）において、
上記加湿機用じょうご（３）の重心が、上記接続筒部（２２）の中心を通る直線と、上記底（８１）との間にあることを特徴とする加湿機用じょうご（３）。
【請求項３】
請求項１または２に記載の加湿機用じょうご（３）において、
上記容器部（２１）における上記接続筒部（２２）の軸方向と上記一方向とに直交する方向の寸法は、上記容器部（２１）の上記軸方向の寸法よりも小さいことを特徴とする加湿機用じょうご（３）。
【請求項４】
請求項３に記載の加湿機用じょうご（３）において、
上記接続筒部（２２）の最大直径と、上記容器部（２１）の上記直交する方向の寸法は、略等しいことを特徴とする加湿機用じょうご（３）。
【請求項５】
請求項１乃至４のいずれか１つに記載の加湿機用じょうご（３）において、
上記容器部（２１）は、上記開口（２４）を形成する側面（４０,４１）を有し、
上記側面（４０,４１）は、上記容器部（２１）の上記開口（２４）側に切欠き（３１）を有していることを特徴とする加湿機用じょうご（３）。
【請求項６】
請求項１乃至５のいずれか１つに記載の加湿機用じょうご（３）において、
弾性変形して保持力を得る弾性変形部（７７）を有することを特徴とする加湿機用じょうご（３）。
【請求項７】
請求項１乃至６のいずれか１つに記載の加湿機用じょうご（３）において、
上記接続筒部（２２）は、弾性を有する抜け止め防止用爪（４３,４４）を有していることを特徴とする加湿機用じょうご（３）。
【請求項８】
請求項１乃至７のいずれか１つに記載の加湿機用じょうご（３）と、
凹所（９）を有する水タンク（２）と
を備え、
上記加湿機用じょうご（３）は、上記水タンク（２）の上記凹所（９）に着脱可能に収容されることを特徴とする加湿機用タンクじょうごアッセンブリ（１）。
【請求項９】
請求項８に記載の加湿機用タンクじょうごアッセンブリ（１）において、
上記水タンク（２）は、
上記水タンク（２）の深さ方向の一方側の端部に位置する運搬用取手（８）と、
上記水タンク（２）の中央部に位置すると共に、上記運搬用取手（８）の延在方向と交差する方向に延在する給水用取手（１６）と
を有し、
上記水タンク（２）の上記凹所（９）は、上記給水用取手（１６）に隣接して設けられていることを特徴とする加湿機用タンクじょうごアッセンブリ（１）。
【発明の詳細な説明】
【技術分野】
【０００１】
本発明は、加湿機用じょうごおよび加湿機用タンクじょうごアッセンブリに関する。
【背景技術】
【０００２】
従来、加湿機としては、特開２００８−３９３１７号公報（特許文献１）に記載されているものがある。この加湿機は、略直方体状であり、背が高い構造を有している。この加湿機は、本体ケーシングと、水タンクとを備え、上記水タンクは、本体ケーシング内に収容されるようになっている。上記水タンクは、略直方体状であり、背が高い構造を有している。上記水タンクの高さ方向の寸法は、水タンクの奥行き方向の寸法よりも大きく、かつ、水タンクの幅方向の寸法よりも大きくなっている。この加湿機は、水タンクを、本体ケーシングの略直方体状の内部室に対応した形状にして、背が高い構造にすることにより、水タンクの容量を大きくしている。
【０００３】
しかしながら、上記従来の加湿機では、水タンクが、背が高い構造になっているから、水タンクの給水時に、水タンクが、その水タンクをたてた状態では、流し台の蛇口と、底との間に収まらないという問題がある。したがって、水タンクに給水をする場合、水タンクを鉛直面に対して傾斜させた状態、例えば、水タンクを横にした状態で、給水を行わなければならず、水タンクの給水が行いにくいという問題がある。
【先行技術文献】
【特許文献】
【０００４】
【特許文献１】特開２００８−３９３１７号公報
【発明の概要】
【発明が解決しようとする課題】
【０００５】
本発明者は、上記問題を解消するために、加湿機用の水タンクを流し台上で横にして、その水タンクの給水にL字型のじょうごを使用しようとした。尚、このL字型のじょうごは、本発明者が試作したもので、従来技術ではなく、また、公知ではない。
【０００６】
しかしながら、このL字型のじょうごでは、蛇口から注入された水から受ける力によってL字型じょうごが回転して、Ｌ字型じょうごの姿勢が安定せず、上記水を効率的に水タンクに案内することができないという問題がある。
【０００７】
そこで、本発明の課題は、水タンクを横にした状態で、効率的に水を注入できる加湿機用じょうごおよびその加湿機用じょうごを備える加湿機用タンクじょうごアッセンブリを提供することにある。
【課題を解決するための手段】
【０００８】
上記課題を解決するため、この発明の加湿機用じょうごは、
加湿機の水タンクに水を補充するために用いる加湿機用じょうごであって、
一方向の一端に開口を有すると共に、上記一方向の他端に底を有する容器部と、
上記容器部の上記一方向の中間部に上記一方向と交差する方向に延在して連なると共に、水タンクの注入口に回転可能に接続される接続筒部と
を備え、
上記接続筒部の上記容器部内への口の上記底側の縁と、上記底との間に上記一方向に一定の距離があることを特徴としている。
【０００９】
尚、上記「回転可能」は、加湿機用じょうごが水タンクに接続されているときに、摩擦力によって自発的には加湿機用じょうごに対して回転しないが、人が加湿機用じょうごに力を加えることにより、水タンクに対して回転する場合も含む。
【００１０】
本発明によれば、接続筒部の容器部内への口の上記底側への縁と、容器部の底との間に、上記一方向に一定の距離を有しているから、上記容器部の底と、上記接続筒部の上記容器部内への口の上記底側への縁との間に水を収容できる。そして、上記容器部内に水が存在している場合のじょうごの重心が、容器部内に水が存在しない場合のじょうごの重心よりも容器部の深さ方向の上記底側に位置することになる。したがって、上記底が、水を容器部に注いでいる最中に鉛直方向下方に下がることになるから、じょうごの姿勢を、じょうごの使用中に、容器部の開口が鉛直方向の上方を向いている状態で安定させることができる。したがって、水タンクが、背が高くて、水タンクを横にして給水しなければならない場合であっても、じょうごの接続筒部を水タンクの注入口に接続するだけで、水を水タンクへ簡単かつ効率的に注入することができる。
【００１１】
また、一実施形態では、
上記加湿機用じょうごの重心が、上記接続筒部の中心を通る直線と、上記底との間にある。
【００１２】
上記実施形態によれば、上記重心が、接続筒部の中心を通る直線と、上記底との間にあるから、接続筒部を水タンクに接続した状態において、より確実に、容器部の開口が鉛直方向の上方を向いている状態で安定させることができる。したがって、背の高い水タンクであって、水タンクを横にして注入しなければならない場合であっても、水の水タンクへの効率的な注入を、より容易に行うことができる。
【００１３】
また、一実施形態では、
上記容器部における上記接続筒部の軸方向と上記一方向とに直交する方向の寸法は、上記容器部の上記軸方向の寸法よりも小さい。
【００１４】
上記実施形態によれば、容器部における上記接続筒部の軸方向と上記一方向とに直交する方向の寸法が、容器部の上記軸方向の寸法よりも小さいから、上記軸方向に垂直な速度成分を有する注入水が、容器部の内面に衝突することが抑制され、じょうごに作用する回転モーメントが小さくなる。したがって、じょうごの使用中に、じょうごが回転することを抑制できて、じょうごの姿勢を上向きに安定させることができる。したがって、背の高い水タンクであって、水タンクを横にして注入しなければならない場合であっても、水の注入が容易になる。
【００１５】
また、一実施形態では、
上記接続筒部の最大直径と、上記容器部の上記直交する方向の寸法は、略等しい。
【００１６】
上記「略等しい」とは、上記容器部の上記直交する方向の寸法と、上記最大直径との差が、１ｃｍの範囲内であることをいう。
【００１７】
上記実施形態によれば、容器部の接続筒部の軸方向と直交する方向の寸法が、上記接続筒部の最大直径と略等しいから、上記軸方向に垂直な速度成分を有する注入水が、容器部の内面に衝突することを、更に抑制できる。したがって、じょうごに作用する回転モーメントを更に小さくすることができ、じょうごへの水の注入により、じょうごが回転するのを防止できる。
【００１８】
また、一実施形態では、
上記容器部は、上記開口を形成する側面を有し、
上記側面は、上記容器部の上記開口側に切欠きを有している。
【００１９】
上記実施形態によれば、上記開口を形成する側面が、容器部の開口側に切欠きを有しているから、容器部に供給された余剰な水を、上記切欠きを介して排出できて、その余剰な水の排出方向を制限することができる。したがって、容器部から溢れた水が、水タンク側に流れることを抑制できて、容器部から溢れた水で、水タンクが濡れることを抑制できる。
【００２０】
また、一実施形態では、
弾性変形して保持力を得る弾性変形部を有する。
【００２１】
上記実施形態によれば、じょうごが、弾性変形して保持力を得る弾性変形部を有しているから、じょうごを、そのじょうごが収容される水タンク等に、安定かつ確実に保持することができる。
【００２２】
また、一実施形態では、
上記接続筒部は、弾性を有する抜け止め防止用爪を有している。
【００２３】
上記実施形態によれば、上記接続筒部が、弾性を有する抜け止め防止用爪を有しているから、じょうごの使用時に、じょうごが水タンクから容易に外れることを防止できる。また、弾性を有する抜け止め防止用爪によって、水タンクと、じょうごとの摩擦力を大きくすることができて、水タンクに対してじょうごが過度に回転するのを防止できる。
【００２４】
また、本発明の加湿機用タンクじょうごアッセンブリは、
本発明の加湿機用じょうごと、
凹所を有する水タンクと
を備え、
上記加湿機用じょうごは、上記水タンクの上記凹所に着脱可能に収容されることを特徴としている。
【００２５】
本発明によれば、上記加湿機用じょうごを水タンクの凹所に収容できるから、じょうごの紛失を防止できる。また、じょうごを水タンクの凹所に収容できるから、水タンクの給水時に、じょうごを無意識のうちに水タンクと一緒に移動させることができて、水タンクの給水時にじょうごを忘れることを防止できる。
【００２６】
また、一実施形態では、
上記水タンクは、
上記水タンクの深さ方向の一方側の端部に位置する運搬用取手と、
上記水タンクの中央部に位置すると共に、上記運搬用取手の延在方向と交差する方向に延在する給水用取手と
を有し、
上記水タンクの上記凹所は、上記給水用取手に隣接して設けられている。
【００２７】
上記実施形態によれば、加湿機用水タンクの凹所が、水タンクの給水に必要不可欠な給水用取手に隣接して設けられているから、水タンクの水の収容体積を減らすことがなく、水タンクにじょうごを収容する凹所を形成することができる。
【発明の効果】
【００２８】
本発明の加湿機用じょうごによれば、接続筒部の容器部内への口の上記底側への縁と、容器部の底との間に、上記一方向に一定の距離を有しているから、上記容器部内に水が存在している場合のじょうごの重心が、容器部内に水が存在しない場合のじょうごの重心よりも容器部の深さ方向の上記底側に位置することになる。したがって、上記底が、水を容器部に注いでいる最中に鉛直方向下方に下がることになるから、じょうごの姿勢を、じょうごの使用中に、容器部の開口が鉛直方向の上方を向いている状態で安定させることができる。したがって、水タンクの背が高くて、水タンクを横にして給水しなければならない場合であっても、じょうごの接続筒部を水タンクの注入口に接続するだけで、水を水タンクへ簡単かつ効率的に注入することができる。
【図面の簡単な説明】
【００２９】
【図１】本発明の一実施形態の加湿機の斜視図である。
【図２】上記加湿機の前面板部を取り外した状態の斜視図である。
【図３】タンクじょうごアッセンブリの斜視図である。
【図４】タンクじょうごアッセンブリを、水タンクと、じょうごとに分離した図であり、更に、タンクの注入口からキャップを取り外した図である。
【図５】じょうごの斜視図である。
【図６】じょうごを、第１軸方向延在側面の側方側から見たときの図である。
【図７】じょうごを容器部の深さ方向の開口側から見たときの図である。
【図８】じょうごを、接続筒部の軸方向の容器部側とは反対側の外方から見たときの図である。
【図９】タンクじょうごアッセンブリを、水タンクの奥行き方向の給水用取手側とは反対側の外方から見たときの図である。
【図１０】図９に示すタンクじょうごアッセンブリのＡＡ線断面図である。
【図１１】水タンクの注水口にじょうごを接続している状態のタンクじょうごアッセンブリの斜視図である。
【図１２】水タンクの注水口にじょうごを接続している状態におけるじょうごの周辺の拡大斜視図である。
【図１３】水タンクの注水口にじょうごを接続している状態で、じょうごを、その第２軸方向延在側面側からみたときの図である。
【図１４】水タンクの注水口にじょうごを接続している状態での、じょうごの弾性変形部の周辺を示す拡大斜視図である。
【発明を実施するための形態】
【００３０】
以下、本発明を図示の形態により詳細に説明する。
【００３１】
図１は、本発明の一実施形態の加湿機の斜視図である。
【００３２】
この加湿機は、背が高い略直方体の形状を有している。この加湿機の高さ方向の寸法は、加湿機の奥行き方向の寸法よりも大きく、かつ、加湿機の幅方向の寸法よりも大きくなっている。
【００３３】
この加湿機は、このような形状にして、より高い箇所から、加湿空気を吹き出しできるようにし、加湿効果が優れたものになるようにしている。また、この加湿機は、このような形状にすることにより、加湿機の載置面積を小さくして、載置箇所の自由度を大きくするようにしている。
【００３４】
図２は、上記加湿機の前面板部を取り外した状態の斜視図である。
【００３５】
図２に示すように、この加湿機は、加湿機本体６と、加湿機用タンクじょうごアッセンブリ（以下、タンクじょうごアッセンブリという）１とを備え、タンクじょうごアッセンブリ１は、加湿機本体６の内部室に収容されるようになっている。また、上記タンクじょうごアッセンブリ１は、樹脂製の水タンク２と、樹脂製の加湿機用じょうご（以下、じょうごという）３とを備え、じょうご３は、後に詳述するように、水タンク２に収容できるようになっている。
【００３６】
図２に示すように、このタンクじょうごアッセンブリ１は、加湿機本体と同様に、背が高い略直方体の形状をしている。上記タンクじょうごアッセンブリ１の高さは、タンクじょうごアッセンブリ１の幅や、タンクじょうごアッセンブリ１の奥行きよりも長くなっている。上記タンクじょうごアッセンブリ１の幅は、加湿機の幅と略同一の長さになっている。この加湿機は、タンクじょうごアッセンブリ１の幅を、加湿機の幅と略同一にすることによって、水タンク２の容積を大きくしている。
【００３７】
図３は、タンクじょうごアッセンブリ１の斜視図である。
【００３８】
このタンクじょうごアッセンブリ１の水タンク２は、水タンク２の幅方向を垂直に二等分する平面に対して、略面対称になっている。上記水タンク２は、図３に矢印Ａで示す水タンク２の深さ方向の一方側の端部に運搬用取手８を有している。詳しくは、上記水タンク２は、上面５に凹所７を有すると共に、その凹所７に運搬用取手８を有している。上記運搬用取手８は、凹所７の高さ方向の略中間部を、凹所７の一方側の側面から他方側の側面まで、水タンク２の幅方向に延在している。この水タンク２は、水タンク２の上面に設けた凹所７に運搬用取手８を形成することにより、運搬用取手８が、水タンク２の表面から突出しないようにして、加湿機本体６（図２参照）への水タンク２の収容が容易になるようにしている。
【００３９】
上記水タンク２は、凹所７の他に、水タンク２の中央部に凹所９を有している。上記凹所９は、水タンク２の幅方向の中央部かつ高さ方向の中央部に位置している。上記凹所９は、貫通穴である。上記凹所９は、水タンク２の幅方向を含む一方側の側面から水タンク２の幅方向を含む他方側の側面まで、水タンク２の奥行き方向に延在し、水タンク２を貫通している。
【００４０】
上記じょうご３は、水タンク２の凹所９に収容できるようになっている。上記じょうご３を水タンク２に収容した状態で、じょうご３は、じょうご３と凹所９の内面との間に発生する静止摩擦力により、凹所９から容易に離脱しないようになっている。
【００４１】
尚、図３において、参照番号１５は、水タンク２の注水口を閉じるキャップである。上記キャップ１５は、蓋部材と、付勢部材とを内蔵している。上記キャップ１５の機能については、詳述しないが、上記蓋部材は、水タンク２が、加湿機本体６に装着されていないときには、上記付勢部材の付勢力により、水タンク２の注水口１１（図４参照）を塞ぐようになっている。また、上記水タンク２が、加湿機本体６に装着されているときには、上記付勢部材の付勢力により、上記蓋部材が移動して、水タンク２の注水口１１が開くようになっている。このようにして、水タンク２内の水を、加湿機本体６の方へ供給するようになっている。
【００４２】
図４は、タンクじょうごアッセンブリ１を、水タンク２と、じょうご３とに分離した図であり、更に、タンク２の注入口１１からキャップ１５を取り外した図である。
【００４３】
図４に示すように、水タンク２の凹所９内における奥行き方向の中心に対して奥行き方向の一方側には、給水用取手１６が存在している。上記凹所９は、水タンク２の奥行き方向に垂直な断面において、略矩形の形状を有している。上記給水用取手１６は、凹所９の水タンク２の幅方向の中央部に位置している。上記給水用取手１６は、凹所９の高さ方向の一方側の端面から凹所９の高さ方向の他方側の端面まで、水タンク２の高さ方向に延在している。図４に示すように、給水用取手１６は、運搬用取手８の延在方向である水タンク２の幅方向（図４に矢印Ｂで示す）に略垂直な方向に延在している。
【００４４】
図５は、じょうご３の斜視図である。
【００４５】
図５に示すように、じょうご３は、容器部２１と、接続筒部２２とを備え、容器部２１は、図５に矢印Ｃで示す一方向の一端に開口２４を有すると共に、一方向の他端に底８１を有している。上記接続筒部２２は、容器部２１の上記一方向の中間部に連なっている。上記接続筒部２２は、上記一方向と交差する方向（図５に矢印Ｄで示す）に延在している。上記接続筒部２２は、容器部２１内への口を有している。上記接続筒部２２は、水タンク２に給水を行うときに、水タンク２の注入口１１（図４参照）に回転可能に接続されるようになっている。上記接続筒部２２の外周面の大部分は、同一の円錐外周面２７上に位置し、その円錐外周面２７の外径は、接続筒部２２が容器部２１から離れるにしたがって、小さくなっている。
【００４６】
図５に示すように、容器部２１において、接続筒部２２の軸方向（厳密には、上記円錐外周面の軸方向であり上記矢印Ｄで示す方向と一致）と、上記一方向に一致する容器部２１の深さ方向との両方に直交する方向の寸法（図５に矢印Ｅで示す）は、容器部２１の上記軸方向の寸法（図５に矢印Ｆで示す）よりも小さくなっている。また、上記接続筒部２２の最大直径（図５に矢印Ｇで示す）と、容器部２１の上記両方に直交する方向の寸法（矢印Ｅで示す）とは、略等しくなっている。詳しくは、上記容器部２１の上記両方に直交する方向の寸法（矢印Ｅで示す）と、接続筒部２２の最大直径（矢印Ｇで示す）との差は、１ｃｍ以内、好ましくは、５ｍｍ以内に収まっている。
【００４７】
上記容器部２１は、開口２４を形成する側面に切欠き３１を有している。詳しくは、上記容器部２１は、開口を形成する側面の一例としての第１軸方向延在側面４０および第２軸方向延在側面４１を有し、第１,第２軸方向延在側面４０,４１の夫々は、接続筒部２２の略軸方向に延在している。上記第１軸方向延在側面４０と第２軸方向延在側面４１とは、上記軸方向および容器部２１の深さ方向の両方に垂直な方向である容器部２１の幅方向に互いに対向している。上記切欠き３１は、第１,第２軸方向延在側面４０,４１の上記一方向の開口２４側の端部に存在している。上記切欠き３１は、第１,第２軸方向延在側面４０,４１の夫々の上記軸方向の中央部に存在している。
【００４８】
上記接続筒部２２は、二つの抜け止め防止用爪４３,４４を有し、各抜け止め防止用爪４３,４４は、接続筒部２２における軸方向の容器部２１側とは反対側の端部に存在している。一方の抜け止め防止用爪４３は、接続筒部２２の容器部２１の高さ方向（上記一方向に相当）の上方に位置する一方、抜け止め防止用爪４３は、接続筒部２２の容器部２１の高さ方向の下方に位置している。上記各抜け止め防止用爪４３は、接続筒部２２において軸方向の容器部２１側とは反対側の端部に形成された略軸方向に延在する二つの切り込みの間に存在している。上記各抜け止め防止用爪４３は、接続筒部２２の円錐外周面２７よりも径方向の外方側に突出している。上記各抜け止め防止用爪４３は、可撓性および弾性を有し、径方向に歪むことができるようになっている。上記接続筒部２２を、水タンク２の注水口に接続するとき、二つの各抜け止め防止用爪４３,４４を径方向の内方側に歪ませて、注水口１１（図４参照）の内周面に係止して、上記接続筒部２２を、水タンク２の注水口１１に確実に接続するようになっている。
【００４９】
図６は、上記じょうご３を、第１軸方向延在側面４０の側方側から見たときの図である。
【００５０】
図６に示すように、このじょうご３は、接続筒部２２の容器部２１内への口の容器部２１の底８１側の縁８０と、上記底８１との間に、一方向としての容器部２１の深さ方向（容器部２１の高さ方向）に一定の距離を有している。
【００５１】
図７は、じょうご３を容器部２１の深さ方向の開口側から見たときの図である。
【００５２】
図７に示すように、このじょうご３は、第１軸方向延在側面４０の軸方向の二つの角部７３,７４にＲが形成される一方、第２軸方向延在側面４１の軸方向の二つの角部７１,７２にＲが形成されない形状になっている。
【００５３】
図８は、このじょうご３を、接続筒部２２の軸方向の容器部２１側とは反対側の外方から見たときの図である。
【００５４】
図８に示すように、第２軸方向延在側面４１の容器部２１の深さ方向の底側には、弾性変形して保持力を得る弾性変形部７７が存在している。図８に示すように、じょうご３が水タンク２に収容されていない状態で、弾性変形部７７は、容器部２１の底８１よりも容器部２１の深さ方向の容器部２１の開口２４側とは反対側に突出している。この弾性変形部７７は、弾性を有して歪むことができるようになっている。この弾性変形部７７は、じょうご３を、水タンク２の凹所９（図３参照）に収容するときに、凹所９の側面に押圧されて歪むようになっている。このようにして、水タンク２の凹所９へのじょうご３の係止を確実にするようになっている。上記弾性変形部７７の詳しい構造については、後に詳述する。
【００５５】
図４を再度参照して、このじょうご３は、その接続筒部２２の軸方向を水タンク２の高さ方向に一致させると共に、接続筒部２２の先端側を運搬用取手８側に向けた状態で、容器部２１の第２軸方向延在側面４１側から水タンク２の凹所９に押し込んで、水タンク２に収容するようになっている。
【００５６】
図９は、タンクじょうごアッセンブリ１を、水タンク２の奥行き方向の給水用取手１６側とは反対側の外方から見たときの図である。
【００５７】
図９に示すように、じょうご３は、水タンク２の凹所９内における奥行き方向の中心に対して奥行き方向の給水用取手１６の存在側とは反対側に、着脱可能に収容されるようになっている。
【００５８】
また、図９に示すように、凹所９の開口の水タンク２の幅方向の寸法は、じょうご３の容器部２１の深さ方向の最大寸法と、略一致している。また、じょうご３が凹所９に収容されている状態で、上記弾性変形部７７の先端の容器部２１の深さ方向の位置は、容器部２１の底８１の上記深さ方向の位置と略同一になっている。
【００５９】
図８に示す状態、すなわち、上記弾性変形部７７が、容器部２１の底８１よりも容器部２１の深さ方向の容器部２１の開口側とは反対側に突出している状態から、弾性変形部７７の先端の容器部２１の深さ方向の位置が、容器部２１の底８１の上記深さ方向の位置と略同一になっている状態まで、弾性変形部７７を歪ませて、じょうご３を、水タンク２に確実に係止するようになっている。
【００６０】
図１０は、図９に示すタンクじょうごアッセンブリ１のＡＡ線断面図であり、タンクじょうごアッセンブリ１の水タンク２を、その幅方向を垂直に二等分する平面での断面図である。
【００６１】
図１０に示すように、じょうご３が凹所９に収容された状態で、じょうご３の第２軸方向延在側面４１が、給水用取手１６に接触するようになっている。このようにして、水タンク２にじょうご３を収容した状態で、給水用取手１６でじょうご３の水タンク２の奥行き方向の一方側の移動を規制して、じょうご３を安定に水タンク２の凹所９に収容するようになっている。
【００６２】
図１１は、水タンク２の注水口１１にじょうご３を接続している状態のタンクじょうごアッセンブリ１の斜視図である。
【００６３】
このじょうご３の重心は、接続筒部２２の中心を通る直線と、容器部２１の底８１との間に略存在している。したがって、上記水タンク２に給水をするために、背が高い水タンク２の高さ方向を、水平方向側に傾けた際、図１１に示すように、じょうご３が、容器部２１の深さ方向が鉛直面に含まれると共に、容器部２１の底８１側が鉛直方向の下方側に位置するように、傾斜するようになっている。
【００６４】
図１２は、水タンク２の注水口１１にじょうご３を接続している状態におけるじょうご３の周辺の拡大斜視図である。また、図１３は、水タンク２の注水口１１にじょうご３を接続している状態で、じょうご３を、その第２軸方向延在側面４１側からみたときの図である。
【００６５】
図１２に示すように、水タンク２が水平面に平行な状態で、容器部２１の切欠き３１が、水タンク２の幅方向に向いている。また、図１３に示すように、水タンク２が、水平面に平行な状態で、じょうご３の鉛直方向の上方の端は、水タンク２よりも鉛直方向の上方に位置する一方、じょうご３の鉛直方向の下方の端は、水タンク２の鉛直方向下方の端よりも鉛直方向の上方に位置している。
【００６６】
図１４は、水タンク２の注水口１１にじょうご３を接続している状態での、じょうご３の弾性変形部７７の周辺を示す拡大斜視図である。
【００６７】
図１４に示すように、じょうご３の容器部２１の表面は、幅方向の第２軸方向延在側面４１側かつ深さ方向の底８１側の端部に凹部９７を有している。上記凹部９７は、容器部２１の長手方向（接続筒部２２の軸方向）の一端から他端まで、容器部２１の長手方向に延在して、容器部２１の長手方向の両側で長手方向に開口している。また、上記凹部９７は、容器部２１の深さ方向の容器部２１の開口側とは反対側に開口し、また、容器部２１の幅方向（第２軸方向延在側面４１の法線方向）の一方側にも開口している。
【００６８】
上記凹部９７は、鉛直方向上方面９９と、軸方向延在面９８とを有し、鉛直方向上方面９９は、略第２軸方向延在側面４１の法線方向に延在する一方、軸方向延在面９８は、略第２軸方向延在側面４１に平行に延在している。
【００６９】
図１４に示すように、上記弾性変形部７７は、コ字状の本体部８３と、突起部８４とを有する。上記本体部８３は、第１高さ方向延在部１００と、第２高さ方向延在部１０１と、軸方向延在部１０２とを有し、第１高さ方向延在部１００と、第２高さ方向延在部１０１とは、略同一である。第１高さ方向延在部１００および第２高さ方向延在部１０１の夫々は、鉛直方向上方面９９から容器部２１の高さ方向（深さ方向）に延在している。上記第１高さ方向延在部１００と、第２高さ方向延在部１０１とは、軸方向に間隔をおいて軸方向に互いに対向している。
【００７０】
上記軸方向延在部１０２は、接続筒部２２の軸方向に延在している。上記軸方向延在部１０２は、第１高さ方向延在部１００の鉛直方向上方面９９側とは反対側の端部と、第２高さ方向延在部１０１の鉛直方向上方面９９側とは反対側の端部とを連結している。また、上記突起部８４は、軸方向延在部１０２の底８１側の面から容器部２１の高さ方向の底８１側に突出している。
【００７１】
この弾性変形部７７は、突起部８４を、軸方向延在部１０２と、水タンク２の凹所９（図３参照）との間で、押しつぶすように歪ませて、じょうご３を、凹所９に安定に係止するようになっている。
【００７２】
上記弾性変形部７７は、本体部８３をコ字形状にして、水タンク２の凹所９の内面に接触する軸方向延在部１０２および突起部８４を、軸方向延在部１０２の両側に位置する二つの高さ方向延在部１００,１０１で、支える構造になっている。このようにして、弾性変形部７７の強度を大きくして、弾性変形部７７が、破損しにくくなるようにしている。
【００７３】
上記実施形態のじょうご３によれば、上記接続筒部２２の容器部２１内への口の底８１側への縁８０と、容器部２１の底８１との間に、一方向である容器部２１の高さ方向（容器部２１の深さ方向）に一定の距離を有しているから、容器部２１の底８１と、接続筒部２２の容器部２１内への口の底８１側への縁８０と間に水を収容できる。そして、上記容器部２１内に水が存在している場合のじょうご３の重心が、容器部２１内に水が存在しない場合のじょうご３の重心よりも容器部２１の深さ方向の底８１側に位置することになる。したがって、上記底８１が、水を容器部２１に注いでいる最中に鉛直方向下方に下がることになるから、じょうご３の姿勢を、じょうご３の使用中に、容器部２１の開口が鉛直方向の上方を向いている状態で安定させることができる。したがって、上記水タンク２が、背が高くて、水タンク２を横にして給水しなければならない場合であっても、じょうご３の接続筒部２２を水タンク２の注入口１１に接続するだけで、水を水タンク２へ簡単かつ効率的に注入することができる。
【００７４】
上記容器部２１において、容器部２１の高さ方向における、容器部２１の底８１と、接続筒部２２の容器部２１内への口の底８１側への縁８０との間に位置する部分に充填されている水は、水タンク２を水平に位置させた状態で、接続筒部２２の方に流れることができない。したがって、基本的には、容器部２１の高さ方向における、容器部２１の底８１と、接続筒部２２の容器部２１内への口の底８１側への縁８０との間に位置する部分は、存在しなくても、水タンクへの水の注入に支障が出ることはない。しかしながら、本発明者は、その部分があれば、その部分に充填されている水の質量で、じょうご３の重心を鉛直方向下側に下げることができて、じょうご３が、回転可能な構成であっても、じょうご３を、じょうご３の使用中に極めて安定な状態に保持できることを、発見し、見出したのである。
【００７５】
また、上記実施形態のじょうご３によれば、じょうご３の重心が、接続筒部２２の中心を通る直線と、容器部２１の底８１との間にあるから、接続筒部２２を水タンク２に接続した状態において、より確実に、容器部２１の開口が鉛直方向の上方を向いている状態で安定させることができる。したがって、背の高い水タンク２であって、水タンク２を横にして注入しなければならない場合であっても、水の水タンク２への効率的な注入を、より容易に行うことができる。
【００７６】
また、上記実施形態のじょうご３によれば、上記容器部２１における接続筒部２２の軸方向と上記一方向（容器部２１の高さ方向）とに直交する方向の寸法が、容器部２１の上記軸方向の寸法よりも小さいから、上記軸方向に垂直な速度成分を有する注入水が、容器部２１の内面に衝突することが抑制され、じょうご３に作用する回転モーメントが小さくなる。したがって、じょうご３の使用中に、じょうご３が回転することを抑制できて、じょうご３の姿勢を上向きに安定させることができる。したがって、背の高い水タンク２であって、水タンク２を横にして注入しなければならない場合であっても、水の注入が容易になる。
【００７７】
また、上記実施形態のじょうご３によれば、上記容器部２１の接続筒部２２の軸方向と直交する方向の寸法が、接続筒部２２の最大直径と略等しいから、上記軸方向に垂直な速度成分を有する注入水が、容器部２１の内面に衝突することを、更に抑制できる。したがって、じょうご３に作用する回転モーメントを更に小さくすることができ、じょうご３への水の注入により、じょうご３が回転するのを防止できる。
【００７８】
また、上記実施形態のじょうご３によれば、第１,２軸方向延在側面４０,４１が、容器部２１の開口２４側に切欠き３１を有しているから、容器部２１に供給された余剰な水を、切欠き３１を介して側方に排出できて、その余剰な水が、水タンク２側に流出することを防止できる。したがって、上記容器部２１から溢れた水が、水タンク２側に流れることを抑制できて、容器部２１から溢れた水で、水タンク２が濡れることを抑制できる。
【００７９】
また、上記実施形態のじょうご３によれば、じょうご３が、弾性変形して保持力を得る弾性変形部７７を有しているから、じょうご３を、水タンク２の凹所９に、安定かつ確実に保持することができる。
【００８０】
また、上記実施形態のじょうご３によれば、上記接続筒部２２が、弾性を有する抜け止め防止用爪４３,４４を有しているから、じょうご３の使用時に、じょうご３が水タンク２から容易に外れることを防止できる。また、弾性を有する抜け止め防止用爪４３,４４によって、水タンク２と、じょうご３との摩擦力を大きくすることができて、水タンク２に対してじょうご３が過度に回転するのを防止できる。
【００８１】
また、上記実施形態のタンクじょうごアッセンブリ１によれば、じょうご３を水タンク２の凹所９に収容できるから、じょうご３の紛失を防止できる。また、上記じょうご３を水タンク２の凹所９に収容できるから、水タンク２の給水時に、じょうご３を無意識のうちに水タンク２と一緒に移動させることができて、水タンク２の給水時にじょうご３を忘れることを防止できる。
【００８２】
また、上記実施形態のタンクじょうごアッセンブリ１によれば、水タンク２の凹所９が、水タンク２の給水に必要不可欠な給水用取手１６に隣接して設けられているから、水タンク２の水の収容体積を減らすことがなく、水タンク２にじょうご３を収容する凹所９を形成することができる。
【００８３】
尚、上記実施形態のじょうご３は、回転可能であるが、この発明の「回転可能」という概念には、じょうご３が水タンク２に接続されているときに、じょうご３が、重力や水からの力によって水タンク２に対して自発的に回転する場合が含まれるのは勿論のこと、じょうご３が水タンク２に接続されているときに、じょうご３が、じょうご３と水タンク２との摩擦力によって、重力や水からの力によっては水タンク２に対して自発的には回転しないが、人がじょうご３に力を加えることにより、じょうご３が、水タンク２に対して回転する場合も含まれる。
【００８４】
また、上記実施形態のじょうご３では、容器部２１の開口２４が、容器部２１の深さ方向に垂直な断面において、略矩形の形状を有していたが、この発明では、容器部の開口は、容器部の深さ方向に垂直な断面において、円形や、楕円形または正方形であっても良く、閉曲線であれば、如何なる形状であっても良い。
【００８５】
また、上記実施形態のじょうご３では、開口を形成する側面が、接続筒部２２の軸方向に延在する軸方向延在側面４０,４１であったが、この発明では、開口を形成する側面は、接続筒部の軸方向に延在していなくても良く、接続筒部の軸方向に傾斜する平面であっても良く、曲面であっても良い。開口を形成する側面が、これらの形状であっても、溢れる水が流れる方向を規制、制御できて、水タンクが濡れることを抑制できるからである。
【００８６】
また、上記実施形態のじょうご３は、水タンク２の凹所９に収容される構成であったが、このじょうご３は、水タンク２に収容されない構成であっても良く、加湿機の水タンク以外の部位に収納される構成であっても良い。また、この発明のじょうごは、加湿機に収容されない構成であっても良い。
【００８７】
また、上記実施形態のじょうご３では、接続筒部２２が、抜け止め防止用爪４３,４４を２つ有していたが、この発明では、接続筒部は、抜け止め防止用爪を１つまたは３つ以上有していても良い。
【００８８】
また、上記実施形態のじょうご３では、上記接続筒部２２の外周面の一部は、同一の円錐外周面２７上に位置していたが、この発明では、接続筒部の外周面の全部は、同一の円錐外周面上に位置しても良い。また、この発明では、接続筒部の外周面の一部または全部が、同一の円筒外周面上に位置していても良い。
【００８９】
また、上記実施形態のじょうご３では、弾性変形部７７が、略コ字形状を有して、軸方向延在部１０２および突起部８４を、軸方向延在部１０２の両側に位置する二つの高さ方向延在部１００,１０１で、支える構造であった。しかしながら、この発明では、弾性変形部は、例えば、じょうごの側面に固定された板バネやコイルばね等の付勢部材等であっても良く、水タンク等のじょうご収容部に対してじょうごを安定に係止できる構成であれば、如何なる構造であっても良い。
【００９０】
また、上記実施形態のじょうご３では、じょうご３の重心が、接続筒部２２の中心を通る直線と、上記底８１との間にあったが、この発明では、じょうごの重心は、接続筒部の中心を通る直線と、容器部の底との間になくても良い。そして、例えば、この発明では、じょうごの重心は、接続筒部の中心を通る直線上に存在していても良く、容器部の深さ方向の位置が、接続筒部の中心を通る直線よりも容器部の開口側にあっても良い。尚、じょうごの重心は、じょうごが水タンクに接続されている状態で、じょうごの容器部の開口が鉛直方向上方を向く位置で、安定する位置にあることが好ましいのは、言うまでもない。
【００９１】
また、上記実施形態のじょうご３では、上記容器部２１における接続筒部２２の軸方向と容器部２１の深さ方向とに直交する方向の寸法が、容器部２１の上記軸方向の寸法よりも小さかった。しかしながら、この発明では、容器部における接続筒部の軸方向と容器部の深さ方向とに直交する方向の寸法が、容器部の上記軸方向の寸法よりも大きくても良い。
【００９２】
また、上記実施形態のじょうご３では、上記接続筒部２２の最大直径と、容器部２１の上記直交する方向の寸法とが、略等しかったが、この発明では、接続筒部の最大直径は、容器部の上記直交する方向の寸法より小さくても良く、接続筒部の最大直径は、如何なる寸法であっても良い。
【００９３】
また、上記実施形態のじょうご３は、切欠き３１、抜け止め防止用爪４３,４４および弾性変形部７７を有していたが、この発明のじょうごは、切欠き、抜け止め防止用爪および弾性変形部のうちの１つを有していなくても良く、それらのうちの２つを有していなくても良く、または、それらの全部を有していなくても良い。
【００９４】
また、上記実施形態のタンクじょうごアッセンブリ１では、給水用取手１６の延在方向が、運搬用取手８の延在方向に対して略垂直に延在していたが、この発明では、給水用取手の延在方向が、運搬用取手の延在方向に対して略垂直でない角度で交差しても良いことは、言うまでもない。
【００９５】
また、上記実施形態のタンクじょうごアッセンブリ１では、給水用取手１６の延在方向が、運搬用取手８の延在方向に対して略垂直に延在していたが、タンクじょうごアッセンブリでは、水タンク２が、背が高い構造であったが、この発明では、水タンクは、背が高くない構造であっても良く、水タンクは、如何なる形状であっても良い。
【００９６】
また、上記実施形態のタンクじょうごアッセンブリ１では、水タンク２の注入口が、水タンク２の底側にあったが、この発明では、水タンクの注入口は、水タンクの上部側または水タンクの側方にあっても良い。
【符号の説明】
【００９７】
１  加湿機用タンクじょうごアッセンブリ
２  水タンク
３  加湿機用じょうご
８  運搬用取手
９  水タンクの凹所
１１  水タンクの注入口
１６  給水用取手
２１  容器部
２２  接続筒部
２４  容器部の開口
３１  切欠き
４０,４１  軸方向延在側面
４３,４４  抜け止め防止用爪
７７  弾性変形部
８０  接続筒部の容器部内への口の底側の縁
８１  容器部の底
【図１】
2012026659.tif 000003
【図２】
2012026659.tif 000004
【図３】
2012026659.tif 000005
【図４】
2012026659.tif 000006
【図５】
2012026659.tif 000007
【図６】
2012026659.tif 000008
【図７】
2012026659.tif 000009
【図８】
2012026659.tif 000010
【図９】
2012026659.tif 000011
【図１０】
2012026659.tif 000012
【図１１】
2012026659.tif 000013
【図１２】
2012026659.tif 000014
【図１３】
2012026659.tif 000015
【図１４】
2012026659.tif 000016